(57)【要約】　　　（修正有）【課題】ＩＰ電話をしながらユーザが情報配信を無料で閲覧でき、広告事業者は、契約プロバイダの一社だけに情報配信するだけで他のプロバイダにも同時に情報配信することを可能にする。【解決手段】プロバイダ８ａが運用するＩＰ交換機６ａに内蔵されている情報配信サーバ７ａに広告情報の情報配信の登録を設定する。プロバイダ８ａの情報配信サーバ７ａに複数のプロバイダ８ｂ、８ｃの情報配信サーバ７ｂ、７ｃを連携させ、各プロバイダ網内のＩＰ交換機６ａ、６ｂ、６ｃがＩＰ電話によるユーザ間の音声通話の開始をユーザＩＤ番号で検知すると、これらのＩＰ交換機が音声帯域の品質保証を優先する帯域制御を行なって、当該プロバイダ網におけるＩＰ電話と当該交換機との間の全通信帯域を音声帯域と情報配信帯域とに別設定する。ユーザＩＤ番号に基づきユーザが情報配信を希望するか、否かの確認を行ってサービスをする。【選択図】　　　　図１
2004015272.tif 000002
【特許請求の範囲】
【請求項１】
ＩＰ網に収容されているＩＰ電話での通話中に、ユーザが情報通信端末のＷｅｂブラウザを立ち上げ状態にして、プロバイダ網内のＩＰ交換機に内蔵されている情報配信サーバから、該サーバに広告事業者によりあらかじめ登録されている広告やイベント情報及び各種の商品カタログ等の情報配信を無料で受け、該情報配信による情報の閲覧に利用する料金は広告事業者への課金とする、ＩＰ網におけるプロバイダ網経由しての情報配信サービス方法において、前記広告事業者が自身の情報通信端末により、前記情報を配信するエリアや時間帯及び曜日等のスケジュールを管理して、プロバイダ網を経由して一社のプロバイダが運用するプロバイダ網内のＩＰ交換機に内蔵されている情報配信サーバに前記広告等の情報配信の登録を設定し、前記一社のプロバイダの情報配信サーバに複数のプロバイダの情報配信サーバを連携させ、前記それぞれのプロバイダ網内のＩＰ交換機は、ＩＰ電話によるユーザ間の音声通話の開始をユーザＩＤ番号で検知すると、これらのＩＰ交換機が音声帯域の品質保証の確保を優先する帯域制御を行なって、当該プロバイダ網におけるＩＰ電話と当該交換機との間の全通信帯域を音声帯域と情報配信帯域とに別設定し、前記ユーザＩＤ番号に基づいてユーザが情報配信を希望するか、しないかの確認を行い、希望しない場合は、情報配信を行わないで通話だけのサービスを提供し、希望する場合には、通話中に前記情報配信サーバから前記情報配信の情報を前記情報配信帯域でユーザの情報通信端末に送信することを特徴とする情報配信サービス方法。
【請求項２】
ユーザは自身の情報通信端末により、一方的に前記情報配信サーバから配信される情報だけでなく、要求する新情報等の情報をプロバイダの情報配信サーバにアクセスすることにより閲覧可能とすることを特徴とする請求項１に記載の情報配信サービス方法。
【請求項３】
前記広告事業者は、自身の情報通信端末にて、情報配信するエリアや時間帯及び曜日等のスケジュールを管理した広告やイベント情報及び商品カタログ等の情報提供の情報配信プログラムを一社のプロバイダの情報配信サーバに登録設定し、ユーザ及び複数のプロバイダに時間帯や、曜日等のスケジュールに応じた情報配信の情報提供を可能とすることを特徴とする請求項１に記載の情報配信サービス方法。
【発明の詳細な説明】
【０００１】
【発明の属する技術分野】
本発明は、インターネット網（ＩＰ網）におけるプロバイダ網を経由してのＩＰ電話や、ディスプレイ付きＩＰ電話による通話中に、各種の情報の配信サービスを受けることができる情報配信サービス方法に関するものである。
【０００２】
【従来の技術】
従来の電話（アナログ）回線では、通信中に音声帯域及び情報配信帯域の帯域制御を行って、情報配信を行なうことは不可能であり、キャッチホン等の制御信号を送信することは可能であるが、帯域を管理することはできなかった。情報配信サービスとしては、情報提供事業者のサーバからユーザの情報通信端末のポータルサイトに広告情報等を一方的に送信するだけであり、ユーザは広告やイベント情報及び商品カタログ等の配信情報を曜日や、時間帯等のスケジュールを含めて選択することは不可能であり、また、通常の電話での通話中に同時に情報通信端末で広告やイベント情報及びカタログ等の配信情報を閲覧したり、通話終了後に所望の配信情報を画像記録して、再度閲覧したりすることもできなかった。
【０００３】
ＩＰ網の発達に伴ない、近年では多くのユーザがＩＰ電話により通話する傾向が増えつつある。このＩＰ網を経由しての通信中には帯域を制御することができるため、ＩＰ網内における交換機で音声帯域の音声通話品質保証の確保を優先する帯域制御を行なって、全帯域を音声帯域と情報配信帯域とに別々に設定することができる。そこで、ＩＰ網における交換機内に、エリア、時間帯及び曜日等を含むスケジュール管理された広告やイベント情報及び商品カタログ等のような、広告事業者により提供される情報配信の情報を登録設定するための情報配信サーバを設け、交換機がＩＰ電話によるユーザ間の音声通話の開始をユーザＩＤ番号で検知すると、ＩＰ網の帯域制御を行なうことにより、帯域を音声帯域と情報配信帯域とに別設定し、ＩＰ電話による通話中に情報提供事業者と契約している発呼側及び／又は着呼側のＷｅｂブラウザを立ち上げた情報通信端末に対して交換機における情報配信サーバから各種の情報を配信し、これらの配信情報をユーザが通話中に無料で閲覧でき、この閲覧に必要な料金は全て広告事業者に課するようにした情報配信サービスシステムを本願人は先の特許出願の特願２００２−１０２４２８にて提案した。
【０００４】
【発明が解決しようとする課題】
前記先の出願の情報配信サービスシステムでは、広告事業者が、広告やイベント情報及び商品カタログ等の配信情報を複数のプロバイダに登録する場合に、複数のプロバイダ毎に契約して登録する必要があり、また、広告事業者はＩＰ網経由でプロバイダのポータルサイトに一方的に広告等の情報を情報配信するだけであり、ユーザからの情報の配信要求に応じてプロバイダが無料で新情報配信サービスを提供することはなかった。さらに、ユーザが、広告やイベント情報及び商品カタログ等の配信情報を時間帯や曜日のスケジュールを含めて選択予約することはできず、また、通話中に契約プロバイダ以外の他のプロバイダの広告やイベント情報等をプロバイダ網経由して閲覧することもできなかった。
【０００５】
本発明の目的は、ＩＰ電話による通話に際し、ＩＰ網におけるプロバイダ網を経由してのＩＰ電話及び情報配信サービスを可能とし、ユーザはＩＰ電話をしながら配信情報を無料で閲覧できると共に、ユーザから情報の配信要求を選択予約でき、配信情報を提供する広告事業者は、契約プロバイダ一社に情報配信することことで加味した提供情報を他のプロバイダにも同時に情報配信し得る情報配信サービス方法を提供することにある。
【０００６】
【課題を解決するための手段】
本発明は、上記目的を達成するために、ＩＰ網に収容されているＩＰ電話での通話中に、ユーザが情報通信端末のＷｅｂブラウザを立ち上げ状態にして、プロバイダ網内のＩＰ交換機に内蔵されている情報配信サーバから、該サーバに広告事業者によりあらかじめ登録されている広告やイベント情報及び各種の商品カタログ等の情報配信を無料で受け、該情報配信による情報の閲覧に利用する料金は広告事業者への課金とする、ＩＰ網におけるプロバイダ網経由しての情報配信サービス方法において、前記広告事業者が自身の情報通信端末により、前記情報を配信するエリアや時間帯及び曜日等のスケジュールを管理して、プロバイダ網を経由して一社のプロバイダが運用するプロバイダ網内のＩＰ交換機に内蔵されている情報配信サーバに前記広告等の情報配信の登録を設定し、前記一社のプロバイダの情報配信サーバに複数のプロバイダの情報配信サーバを連携させ、前記それぞれのプロバイダ網内のＩＰ交換機は、ＩＰ電話によるユーザ間の音声通話の開始をユーザＩＤ番号で検知すると、これらのＩＰ交換機が音声帯域の品質保証の確保を優先する帯域制御を行なって、当該プロバイダ網におけるＩＰ電話と当該交換機との間の全通信帯域を音声帯域と情報配信帯域とに別設定し、前記ユーザＩＤ番号に基づいてユーザが情報配信を希望するか、しないかの確認を行い、希望しない場合は、情報配信を行わないで通話だけのサービスを提供し、希望する場合には、通話中に前記情報配信サーバから前記情報配信の情報を前記情報配信帯域でユーザの情報通信端末に送信することを特徴とする情報配信サービス方法にある。
【０００７】
本発明の好適例によれば、ユーザは自身の情報通信端末により、一方的に前記情報配信サーバから配信される情報だけでなく、要求する新情報等の情報をプロバイダの情報配信サーバにアクセスすることにより閲覧可能とする。
【０００８】
本発明の他の好適例によれば、広告事業者は、自身の情報通信端末にて、情報配信するエリアや時間帯及び曜日等のスケジュールを管理した広告やイベント情報及び商品カタログ等の情報提供の情報配信プログラムを一社のプロバイダの情報配信サーバに登録設定し、ユーザ及び複数のプロバイダに時間帯や、曜日等のスケジュールに応じた情報配信の情報提供を可能とする。
【０００９】
【発明の実施の形態】
本発明をより詳細に説述するために、添付の図面に従ってこれを説明する。
【００１０】
図１は、ＩＰ網におけるプロバイダ網を経由しての本発明による情報配信サービス方法の一例を示す線図である。同図において、１ａ，１ｂ，１ｃはＩＰ電話、２ａ，２ｂ，２ｃはＩＰ電話に連係するパソコン等の情報通信端末、３ａ，３ｂ，３ｃはディスプレイ付きＩＰ電話、４はＩＰ網、５ａ，５ｂ，５ｃはプロバイダ網、６ａ，６ｂ，６ｃは各プロバイダのＩＰ交換機、７ａ，７ｂ，７ｃはそれぞれの交換機に内蔵されるＳＳＬ（Ｓｅｃｕｒｉｔｙ　Ｓｏｃｋｅｔ　Ｌａｙｅｒ）付き情報配信サーバ、８ａ，８ｂ，８ｃは各ＩＰ交換機を運用するプロバイダ、９は課金サーバを有する銀行等の現金決算機関、１０は広告事業者、１１は広告事業者の情報通信端末、１２はＰＳＴＮ（加入者電話）網／携帯電話網、１３は通常のアナログ電話端末、１４は携帯電話である。
【００１１】
ユーザによる通話に際し、例えばＩＰ電話１ａ又はディスプレイ付きＩＰ電話３ａは、ＡＤＳＬやＩＳＤＮ或いはＡＴＭ専用線利用のＬＡＮ等の回線を利用してＩＰ交換機６ａに発呼信号を送信する。プロバイダＡ社８ａのＩＰ交換機６ａは、ＩＰ電話からの発呼に応じて呼を設定すると共に、ユーザ間の発声通話の開始をユーザＩＤ番号で検知して、この交換機内部の帯域管理装置（図示せず）にて全帯域を音声帯域の品質保証の確保を優先して音声帯域１５と情報配信帯域１６とに別々に設定して、音声トラヒックと情報配信トラヒックに振り分けて配信を行う。ＩＰ交換機６ａは内蔵している情報配信サーバ７ａとインタフェースを持ち、この情報配信サーバ７ａは、音声帯域の品質保証の確保を優先するため、全帯域から音声トラヒックの増減を考慮して、音声帯域１５の帯域差分を算出し、音声帯域を制御した空き帯域で設定した情報配信帯域１６で情報配信サーバ７ａから、このサーバに前もって広告事業者１０が登録してある広告やイベント情報及び商品カタログ等の情報をユーザの情報通信端末２ａに配信する。
【００１２】
プロバイダＡ社８ａ、プロバイダＢ社８ｂ、プロバイダＣ社８ｃ、並びに他の図示してない複数のプロバイダは、同じ性能を持つ交換機６ａ，６ｂ，６ｃ，…及び内蔵の情報配信サーバ７ａ，７ｂ，７ｃ，…を保有しており、プロバイダＡ社８ａのプロバイダ網５ａは、交換機６ａ内の帯域管理装置にてＩＰ電話１ａと交換機６ａとの間の帯域を音声帯域１５と情報配信帯域１６とに別設定し、ＩＰ電話１ａ又はディスプレイ付きＩＰ電話３ａの音声品質保証の確保を優先しての帯域制御により設定された情報配信帯域１６で情報配信サーバ７ａからユーザの情報通信端末２ａへ広告情報を配信する。書くプロバイダの情報配信サーバはそれぞれプロバイダ網を経由して情報サーバ間にて連携させて、広告事業者１０が、例えばプロバイダＡ社８ａと契約して、このプロバイダのＩＰ交換機６ａの情報配信サーバ７ａに登録した同じ情報配信を、他のプロバイダＢ社８ｂ及びプロバイダＣ社８ｃの情報配信サーバ７ｂ及び７ｃからもできるようにする。
【００１３】
次に、図１に示す構成の本発明による情報配信サービス方法の動作について説明する。
プロバイダＡ社８ａの運用プロバイダ網５ａに属するユーザＡが、例えば、ＩＰ電話１ａ又はディスプレイ付きＩＰ電話３ａにより、プロバイダＢ社８ｂの運用するプロバイダ網５ｂに属するユーザＢのＩＰ電話１ｂとの通話に際しては、先ずユーザＡがＩＰ電話で呼を設定して交換機６ａ及び６ｂに接続要求して通話を開始する。各ユーザがこの通話中に広告やイベント情報等の広告情報の閲覧を望む場合には、情報端末２ａ又は２ｂのＷｅｂブラウザを立ち上げ状態とする。通話開始の通知は発ユーザと着ユーザのＩＤ番号がそれぞれＩＰ交換機６ａ及び６ｂの帯域管理装置（図示せず）に送信され、これらの帯域管理装置にて音声帯域の音声通話品質の保証の確保を優先する帯域制御を行って、音声帯域１５ａ；１５ｂと情報帯域１６ａ；１６ｂをそれぞれ設定し、また、ＩＤ番号でユーザが情報配信を希望するか又はしないかの確認も行う。情報配信を希望しないユーザには、情報配信を行わないで、通話だけのサービスを提供し、希望するユーザには、通話中に情報配信サーバ７ａ又は７ｂから情報配信帯域１６ａ又は１６ｂを経て広告やイベント情報及び商品カタログ等の情報が情報配信サーバ７ａ又は７ｂから情報通信端末２ａ又は２ｂに配信され、ユーザはこの情報を無料で閲覧することができる。この際、ユーザが利用する情報配信サービスの料金は全て広告事業者に課金する。
【００１４】
情報配信サーバ７ａ又は７ｂからの配信情報は、通話終了後又は通話中以外のいつでも情報通信端末２ａ又は２ｂ或いはディスプレイ付きＩＰ電話３ａ又は３ｂの内蔵又は外付けの画像記憶ドライブに記録することができる。さらに、それぞれのプロバイダの情報配信サーバ間は連携させるため、例えばユーザＡは各プロバイダ運用のそれぞれのプロバイダ網を経由して、プロバイダＢ社やプロバイダＣ社及び他の複数のプロバイダの配信情報をＩＰ電話による通話中に閲覧することができる。
【００１５】
広告事業者１０は、例えばＩＰ交換機６ａ内の情報配信サーバ７ａの情報配信装置（図示せず）を利用し、自身の情報通信端末１１で動画及び静止画等の広告やイベント情報及び各種の商品カタログ等の情報配信する情報プログラムと、この情報プログラムの情報配信するエリアや時間帯及び曜日等のスケジュールの管理ファイルを作成し、例えば契約プロバイダＡ社８ａのプロバイダ網５ａを経由して、プロバイダＡ社８ａのＩＰ交換機６ａに内蔵されている情報配信サーバ７ａに情報配信の登録を設定する。広告事業者１０は、プロバイダＡ社８ａだけの一社に登録することで、このプロバイダＡ社と契約しているプロバイダＢ社８ｂやプロバイダＣ社及び他の複数のプロバイダにも同じ情報を配信可能であり、これにより情報配信を一括管理することができる。
【００１６】
プロバイダＢ社８ｂやプロバイダＣ社８ｃ及び他の複数のプロバイダは、広告事業者１０が作成して、契約したプロバイダＡ社８ａの情報配信サーバ７ａに登録したスケジュールを予約し、時間帯や曜日を指定し、広告やイベント情報及び商品カタログ等の情報配信を各プロバイダのＩＰ交換機に内蔵される情報配信サーバ間にて連携させて配信することができる。また、ユーザが利用した情報配信サービスの料金は、銀行等の現金決済機関９の課金サーバに登録されて広告事業者１０の全額支払いとする。広告事業者１０は、前述したように一箇所のプロバイダ、例えばプロバイダＡ社８ａに情報登録することで、複数のプロバイダに同じ情報配信をすることができる。
【００１７】
Ｗｅｂ可能な携帯電話情報端末１４も、上述したように音声帯域の品質保証を優先して音声帯域及び情報配信帯域を別々に設定することにより、携帯電話網１２及びＩＰ電話網４におけるプロバイダ網５ａを経由してＩＰ電話及び情報通信端末２ａ又はディスプレイ付きＩＰ電話３ａと同様な音声及び情報配信サービスを利用することができる。
【００１８】
各ＩＰ電話１ａ，１ｂ，１ｃはＰＳＴＮ網に収容されている電話端末との通話も可能であり、対向電話がＰＳＴＮ網１２に収容されている電話端末１３で、発信者がＩＰ電話１ａを利用する場合には、ＩＰ電話１ａの利用者には通話中に広告等の情報が配信され、ＰＳＴＮ網１２経由の対向電話端末１３には情報配信はされないが、電話回線による音声通話は可能である。
【００１９】
図２は、ユーザからの情報配信要求に応じて情報配信サービスを提供する方法の説明図であり、この方法を実施するステップを番号順に説明する。
【００２０】
▲１▼　プロバイダＢ社８ｂは、ユーザからＩＰ電話１ｂでの通話中に情報通信端末２ｂのＷｅｂブラウザを立ち上げ、情報の配信要求がある場合に、プロバイダＢ社８ｂのＩＰ交換機６ｂの情報サーバ７ｂに情報がない場合は、ユーザが所望する情報を管理しているプロバイダＡ社８ａのＩＰ交換機６ａの情報サーバ７ａにアクセスして情報を入手する。
▲２▼　プロバイダＡ社８ａの情報配信サーバ７ａからプロバイダＢ社８ｂの情報配信サーバ７ｂにユーザが所望する情報を送信する際には、その情報をユーザの情報通信端末２ｂに配信すると同時に、プロバイダＢ社８ｂの情報配信サーバ７ｂにその情報を蓄積する。
▲３▼　その後、他の複数のユーザから同じようにプロバイダＢ社８ｂに情報の配信要求が発生した場合には、プロバイダＢ社８ｂの情報配信サーバ７ｂは最新情報に更新されているので、プロバイダＡ社８ａの情報配信サーバ７ａへのアクセスは行わず、プロバイダＢ社８ｂの情報配信サーバ７ｂからＩＰ電話１ｂのユーザに情報配信サービスを提供することができる。
【００２１】
プロバイダＣ社８ｃにユーザから情報の配信要求があり、このプロバイダＣ社８ｃのＩＰ交換機６ｃの情報サーバ７ｃに情報がない場合における情報配信のサービス提供は、上述したと同様にして行う。
【００２２】
【発明の効果】
以上述べたように本発明によれば、ユーザはＩＰ電話に連係する情報通信端末又はディスプレイ付きＩＰ電話のＷｅｂブラウザを立ち上げ状態にすることで、複数プロバイダの情報配信サーバより、広告やイベント情報及び商品カタログ等の配信された情報をテレビやラジオのＣＭ等を見る気軽な感覚で、ＩＰ電話で通話しながら料金無料でその場で閲覧することができる。また、ユーザは一方的に情報配信される情報だけでなく、要求する新情報等の情報をプロバイダの情報配信サーバにアクセスすることで入手することができる。
【００２３】
広告事業者は、広告やイベント情報及び商品カタログ等の配信情報を、情報配信するエリアや時間帯及び曜日等のスケジュールの管理をしてプロバイダのＩＰ交換機における情報配信サーバに登録することにより、ユーザ及び複数のプロバイダに時間帯や曜日等のスケジュールに応じた情報配信の情報提供をすることができる。また、広告事業者は、広告やイベント情報及び商品カタログ等の情報配信を一箇所のプロバイダと契約し、その契約したプロバイダの情報配信サーバに登録することにより、プロバイダ間で契約した複数のプロバイダの情報配信サーバに同じ情報配信をすることができ、複数のプロバイダの情報配信サーバに登録したことと同じになり、従って、複数のプロバイダごとに異なる情報配信をすることなく同じ情報提供が可能であり、複数のプロバイダが管理する情報も加味して一括した情報管理をすることができる。
【図面の簡単な説明】
【図１】本発明による情報配信サービス方法を実施するネットワーク全体の構成を示す線図である。
【図２】本発明による情報配信サービス方法の一実施例の説明図である。
【符号の説明】
１ａ，１ｂ，１ｃ　ＩＰ電話
２ａ，２ｂ，２ｃ　情報通信端末
３ａ，３ｂ，３ｃ　ディスプレイ付き電話
４　ＩＰ網
５ａ，５ｂ，５ｃ　プロバイダ網
６ａ，６ｂ，６ｃ　ＩＰ交換機
７ａ，７ｂ，７ｃ　情報配信サーバ
８ａ，８ｂ，８ｃ　プロバイダ
９　現金決済機関
１０　広告事業者
１１　広告事業者の情報通信端末
１２　ＰＳＴＮ網／携帯電話網
１３　電話端末
１４　携帯電話
１５ａ，１５ｂ　音声帯域
１６ａ，１６ｂ　情報配信帯域
【図１】
2004015272.tif 000003
【図２】
2004015272.tif 000004